(57)【要約】    【課題】      安定したシステム間ハンドオーバを実現する基地局制御装置などを提供すること。    【解決手段】  基地局制御装置３００に、基地局２００の有するハンドオーバ先システムの個別チャネルにおける伝搬損失推定値を取得し、この伝搬損失推定値に基づいてハンドオーバ先システムの個別チャネルの初期送信電力を算出する送信電力計算部３１０を設けた。これより、伝搬損失推定値に基づいたハンドオーバ先システムの個別チャネルの初期送信電力を算出できるので、この初期送信電力をハンドオーバ完了時のハンドオーバ先システムにおける送信電力とすることにより、より的確な初期送信電力を設定できるため、通信断などの問題を回避することができる。そのため、より安定したシステム間ハンドオーバが可能な基地局制御装置を実現することができる。  【選択図】      図２
2006165891.tif 000002
【特許請求の範囲】
【請求項１】
移動局と、前記移動局と通信を行う複数の異なるシステムを有する基地局ユニットとを有する通信システムであって、
前記基地局ユニットは、
ハンドオーバ先システムの個別チャネルにおける伝搬損失推定値を取得する伝搬損失推定値取得手段と、
前記伝搬損失推定値に基づいて前記ハンドオーバ先システムの個別チャネルの初期送信電力を設定する送信電力設定手段と、
を具備することを特徴とする通信システム。
【請求項２】
前記基地局ユニットは、前記伝搬損失推定値取得手段を有する基地局制御装置と、前記送信電力設定手段を有する基地局とを具備することを特徴とする請求項１記載の通信システム。
【請求項３】
前記伝搬損失推定値取得手段は、ハンドオーバ元システムのパイロットチャネルの送信電力と当該パイロットチャネルの前記移動局における受信電力とに基づいて、前記ハンドオーバ先システムの個別チャネルにおける伝搬損失推定値を算出することを特徴とする請求項１記載の通信システム。
【請求項４】
前記伝搬損失推定値取得手段は、ハンドオーバ元システムの個別チャネルの送信電力と当該個別チャネルの前記移動局における受信電力とに基づいて、前記ハンドオーバ先システムの個別チャネルにおける伝搬損失推定値を算出することを特徴とする請求項１記載の通信システム。
【請求項５】
前記伝搬損失推定値取得手段は、ハンドオーバ元システムの個別チャネルの初期送信電力と当該個別チャネルの現時点の送信電力とに基づいて、前記ハンドオーバ先システムの個別チャネルにおける伝搬損失推定値を算出することを特徴とする請求項１記載の通信システム。
【請求項６】
前記伝搬損失推定値取得手段は、前記ハンドオーバ先システムのパイロットチャネルの送信電力と当該パイロットチャネルの前記移動局における受信電力とに基づいて、前記ハンドオーバ先システムの個別チャネルにおける伝搬損失推定値を算出することを特徴とする請求項１記載の通信システム。
【請求項７】
前記送信電力設定手段は、前記ハンドオーバ先システムの個別チャネルの初期送信電力を前記移動局における前記ハンドオーバ先システムのパイロットチャネルの受信電力変動情報に応じて補正することを特徴とする請求項１又は請求項２記載の通信システム。
【請求項８】
複数の異なる通信システムを有する基地局ユニットであって、
ハンドオーバ先システムの個別チャネルにおける伝搬損失推定値を取得する伝搬損失推定値取得手段と、
前記伝搬損失推定値に基づいて前記ハンドオーバ先システムの個別チャネルの初期送信電力を設定する送信電力設定手段と、
を具備することを特徴とする基地局ユニット。
【請求項９】
ハンドオーバ先システムの個別チャネルにおける伝搬損失推定値を取得する伝搬損失推定値取得手段と、
前記伝搬損失推定値に基づいて前記ハンドオーバ先システムの個別チャネルの初期送信電力を算出する送信電力算出手段と、
を具備することを特徴とする基地局制御装置。
【請求項１０】
前記伝搬損失推定値取得手段は、ハンドオーバ元システムのパイロットチャネルの送信電力と当該パイロットチャネルの受信局における受信電力とに基づいて、前記ハンドオーバ先システムの個別チャネルにおける伝搬損失推定値を算出することを特徴とする請求項９記載の基地局制御装置。
【請求項１１】
前記伝搬損失推定値取得手段は、ハンドオーバ元システムの個別チャネルの送信電力と当該個別チャネルの受信局における受信電力とに基づいて、前記ハンドオーバ先システムの個別チャネルにおける伝搬損失推定値を算出することを特徴とすることを特徴とする請求項９記載の基地局制御装置。
【請求項１２】
前記伝搬損失推定値取得手段は、ハンドオーバ元システムの個別チャネルの初期送信電力と当該個別チャネルの現時点の送信電力とに基づいて、前記ハンドオーバ先システムの個別チャネルにおける伝搬損失推定値を算出することを特徴とする請求項９記載の基地局制御装置。
【請求項１３】
前記伝搬損失推定値取得手段は、前記ハンドオーバ先システムのパイロットチャネルの送信電力と当該パイロットチャネルの受信局における受信電力とに基づいて、前記ハンドオーバ先システムの個別チャネルにおける伝搬損失推定値を算出することを特徴とする請求項９記載の基地局制御装置。
【請求項１４】
複数の異なる通信システムを有する基地局であって、
ハンドオーバ先システムの個別チャネルの初期送信電力を設定する送信電力設定手段と、
前記初期送信電力を前記ハンドオーバ先システムのパイロットチャネルの受信局における受信電力変動情報に応じて補正する送信電力補正手段と、
を具備することを特徴とする基地局。
【請求項１５】
複数の異なる通信システムとの通信可能な移動局であって、
ハンドオーバ先システムのパイロットチャネルの受信電力変動情報を生成する変動情報生成手段と、
前記受信電力変動情報を接続中のハンドオーバ元システムの個別チャネルを用いて送信する送信手段と、
を具備することを特徴とする移動局。
【発明の詳細な説明】
【技術分野】
【０００１】
本発明は、特にシステム間ハンドオーバを行う通信システム、基地局ユニット、基地局制御装置、基地局および移動局に関する。
【背景技術】
【０００２】
従来より上り回線が共通で下り回線に複数の無線アクセス方式を持つ通信システムがある。図１３に示す従来の通信システムは、基地局Ａと、端末Ｍと、基地局制御装置とから構成される。そして、この通信システムは２つのアクセス方式が適用されており、アクセス方式に応じたシステム１とシステム２とを有している。図１３においては、システム１の上り回線と下り回線に対して、システム２の下り回線が付加される構成を示している。
【０００３】
図１３に示す通信システムの具体例としては、上り回線のキャリア周波数がｆＵＬ、下り回線のキャリア周波数がｆＤＬであり共にＤＳ−ＣＤＭＡを用いるＷＣＤＭＡシステムに対して、下り回線の高速化のためにキャリア周波数ｆＤＬ_newにＤＳ−ＣＤＭＡ又は別のアクセス方式を導入した通信システムを挙げることができる。
【０００４】
この通信システムにおいて、システム１とシステム２との間でアクセス方式間のハンドオーバ状態になると、基地局制御装置が基地局に対してハンドオーバ先のシステムの初期送信電力を指定し、その基地局のハンドオーバ先のシステムにおける送信が開始する。ハンドオーバ先のシステムは、この送信開始後、端末における受信品質に基づいて送信電力制御を行い、端末において最適な受信電力になるように送信電力を補正する。
【０００５】
しかしながら、基地局制御装置から基地局に対してなされる、ハンドオーバ先のシステムに関する送信電力の設定方法は、３ＧＰＰでは規定されていない。非特許文献１に、送信電力を設定すると記述されているだけである。
【非特許文献１】TS25.443の8.2.17 Radio Link Setup
【発明の開示】
【発明が解決しようとする課題】
【０００６】
実際上、個別チャネルの送信電力は、パイロットチャネル（ＣＰＩＣＨ）の送信電力を参考に決定されている。具体的には、このパイロットチャネルの送信電力は基地局のカバーするセル全体に対してある一定以上の品質が確保されるように決められているため、パイロットチャネルに期待する受信品質と、個別チャネルに期待する受信品質との差を補正して個別チャネルの送信電力を決定することができる。
【０００７】
しかしながら、基地局における異なるシステム間のハンドオーバは、ハードハンドオーバとなるため問題が生じる。具体的には、ハンドオーバ先のシステムに対する初期送信電力を的確な値に設定しないと通信が断たれる時間が長くなる問題がある。また、ハンドオーバ自体に時間がかかる場合には、その時間内にハンドオーバ先のシステムの状況が大きく変動し、通信品質の低下や過剰の送信電力により干渉が大きくなる等の問題が生じる。
【０００８】
本発明は、かかる点に鑑みてなされたものであり、安定したシステム間ハンドオーバを実現する通信システム、基地局ユニット、基地局制御装置、基地局および移動局を提供することを目的とする。
【課題を解決するための手段】
【０００９】
本発明の通信システムは、移動局と、前記移動局と通信を行う複数の異なるシステムを有する基地局ユニットとを有する通信システムであって、前記基地局ユニットが、ハンドオーバ先システムの個別チャネルにおける伝搬損失推定値を取得する伝搬損失推定値取得手段と、前記伝搬損失推定値に基づいて前記ハンドオーバ先システムの個別チャネルの初期送信電力を設定する送信電力設定手段と、を具備する構成を採る。
【００１０】
本発明の基地局ユニットは、複数の異なる通信システムを有する基地局ユニットであって、ハンドオーバ先システムの個別チャネルにおける伝搬損失推定値を取得する伝搬損失推定値取得手段と、前記伝搬損失推定値に基づいて前記ハンドオーバ先システムの個別チャネルの初期送信電力を設定する送信電力設定手段と、を具備する構成を採る。
【００１１】
本発明の基地局制御装置は、ハンドオーバ先システムの個別チャネルにおける伝搬損失推定値を取得する伝搬損失推定値取得手段と、前記伝搬損失推定値に基づいて前記ハンドオーバ先システムの個別チャネルの初期送信電力を算出する送信電力算出手段と、を具備する構成を採る。
【００１２】
本発明の基地局は、複数の異なる通信システムを有する基地局であって、ハンドオーバ先システムの個別チャネルの初期送信電力を設定する送信電力設定手段と、前記初期送信電力を前記ハンドオーバ先システムのパイロットチャネルの受信局における受信電力変動情報に応じて補正する送信電力補正手段と、を具備する構成を採る。
【００１３】
本発明の移動局は、複数の異なる通信システムとの通信可能な移動局であって、ハンドオーバ先システムのパイロットチャネルの受信電力変動情報を生成する変動情報生成手段と、前記受信電力変動情報を接続中のハンドオーバ元システムの個別チャネルを用いて送信する送信手段と、を具備する構成を採る。
【発明の効果】
【００１４】
本発明によれば、安定したシステム間ハンドオーバを実現する通信システム、基地局ユニット、基地局制御装置、基地局および移動局を提供することができる。
【発明を実施するための最良の形態】
【００１５】
以下、本発明の実施の形態について図面を参照して詳細に説明する。なお、実施の形態において、同一の構成要素には同一の符号を付し、その説明は重複するので省略する。
【００１６】
（実施の形態１）
まず、本実施の形態に係る移動局の構成について、図１を参照して説明する。
【００１７】
図１に示すように移動局１００は、ＲＦ受信部１０１と、復調部１０２と、無線品質測定部１０３と、ＲＦ受信部１１１と、復調部１１２と、無線品質測定部１１３と、誤り訂正復号部１２０と、分離部１３０と、ＴＰＣ（Transmission Power Control）コマンド生成部１４０と、多重部１５０と、誤り訂正符号化部１６０と、変調部１７０と、ＲＦ送信部１８０とを有する。
【００１８】
ＲＦ受信部１０１は、後述する基地局２００のシステム１から送信される信号をアンテナを介して受信し、周波数変換と増幅とを施して復調部１０２に出力する。
【００１９】
復調部１０２は、ＲＦ受信部１０１の出力信号を受け取り、復調して無線品質測定部１０３および誤り訂正復号部１２０に出力する。
【００２０】
無線品質測定部１０３は、復調後の信号に基づき、この信号の無線品質を測定し、無線品質情報（例えば、受信電力）をＴＰＣコマンド生成部１４０および多重部１５０に出力する。
【００２１】
ＲＦ受信部１１１は、後述する基地局２００のシステム２から送信される信号をアンテナを介して受信し、周波数変換と増幅とを施して復調部１１２に出力する。
【００２２】
復調部１１２は、ＲＦ受信部１１１の出力信号を受け取り、復調して無線品質測定部１１３および誤り訂正復号部１２０に出力する。
【００２３】
無線品質測定部１１３は、復調後の信号に基づき、この信号の無線品質（例えば、受信電力）を測定し、無線品質情報をＴＰＣコマンド生成部１４０および多重部１５０に出力する。
【００２４】
誤り訂正復号部１２０は、復調部１０２および復調部１１２からの出力信号を受け取り、誤り訂正復号を施して分離部１３０に出力する。
【００２５】
分離部１３０は、誤り訂正復号部１２０の出力信号から受信信号を分離して出力する。
【００２６】
ＴＰＣコマンド生成部１４０は、無線品質測定部１０３又は無線品質測定部１１３からの無線品質情報と所要品質と比較しＴＰＣコマンドを決定して、決定したＴＰＣコマンドを多重部１５０に出力する。
【００２７】
多重部１５０は、無線品質測定部１０３又は無線品質測定部１１３からの無線品質情報（後述するシステム１のパイロットチャネルおよび個別チャネル並びにシステム２のパイロットチャネルおよび個別チャネルに関する無線品質情報）と、ＴＰＣコマンド生成部１４０からのＴＰＣコマンド（後述するシステム１の個別チャネルおよびシステム２の個別チャネルに関するＴＰＣコマンド）と、入力する送信信号とを多重して多重信号を誤り訂正符号化部１６０に出力する。
【００２８】
誤り訂正符号化部１６０は、多重部１５０の出力信号に誤り訂正符号化を施し、変調部１７０に出力する。
【００２９】
変調部１７０は、誤り訂正符号化部１６０の出力信号を変調し、変調後の信号をＲＦ送信部１８０に出力する。
【００３０】
ＲＦ送信部１８０は、変調後の信号をＲＦ信号に変換し増幅した後にアンテナを介して送信する。
【００３１】
図２に示すように基地局２００は、ＲＦ受信部２１０と、復調部２２０と、誤り訂正復号部２３０と、分離部２４０と、送信電力設定部２５１と、送信電力設定部２５２と、多重部２５３と、誤り訂正符号化部２５４と、変調部２５５と、ＲＦ送信部２５６と、送信電力設定部２６１と、送信電力設定部２６２と、多重部２６３と、誤り訂正符号化部２６４と、変調部２６５と、ＲＦ送信部２６６とを有する。そして、これらの構成要素は、送信電力設定部２５１と、送信電力設定部２５２と、多重部２５３と、誤り訂正符号化部２５４と、変調部２５５と、ＲＦ送信部２５６とを具備するシステム１と、送信電力設定部２６１と、送信電力設定部２６２と、多重部２６３と、誤り訂正符号化部２６４と、変調部２６５と、ＲＦ送信部２６６とを具備するシステム２とに分けられる。なお、ＲＦ受信部２１０と、復調部２２０と、誤り訂正復号部２３０と、分離部２４０とは、システム１およびシステム２で共用される。
【００３２】
ＲＦ受信部２１０は、移動局１００から送信される信号を受信し、受信信号に周波数変換と増幅とを施して復調部２２０に出力する。
【００３３】
復調部２２０は、ＲＦ受信部２１０からの出力信号を復調し、誤り訂正復号部２３０に出力する。
【００３４】
誤り訂正復号部２３０は、復調部２２０からの出力信号に誤り訂正復号化を施し、分離部２４０に出力する。
【００３５】
分離部２４０は、誤り訂正後の信号を受け取り、信号ごとに分離して各々の出力先に出力する。具体的には、分離して得られる、移動局１００からの無線品質情報は、基地局制御装置３００に送出される。また、分離して得られる、移動局１００から送信されたシステム１のＴＰＣコマンドは、送信電力設定部２５１に送出される。また、分離して得られる、移動局１００から送信されたシステム２のＴＰＣコマンドは、送信電力設定部２６１に送出される。
【００３６】
送信電力設定部２５１は、システム１の個別チャネルにより送信する信号の送信電力を設定する。具体的には、送信電力設定部２５１は、基地局制御装置３００から受け取る、システム１の個別チャネルにより送信する信号の初期送信電力情報に基づいて、初期送信電力を設定する。また、送信電力設定部２５１は、分離部２４０から出力されるシステム１のＴＰＣコマンドに従って、送信電力を増減させる。
【００３７】
そして、送信電力設定部２５１は、設定した送信電力により、入力される送信信号を送出する。
【００３８】
送信電力設定部２５２は、後述する基地局制御装置３００からのパイロット送信電力設定情報に基づいて、システム１のパイロットチャネルにより送信する信号の送信電力を設定する。
【００３９】
多重部２５３は、送信電力設定部２５１および送信電力設定部２５２からの出力信号を多重して誤り訂正符号化部２５４に出力する。
【００４０】
誤り訂正符号化部２５４は、多重部２５３の出力信号に対して誤り訂正符号化を施して変調部２５５に出力する。
【００４１】
変調部２５５は、誤り訂正符号化後の信号を変調し、変調後の信号をＲＦ送信部２５６に出力する。
【００４２】
ＲＦ送信部２５６は、変調後の信号をＲＦ信号に変換し増幅した後にアンテナを介して送信する。
【００４３】
送信電力設定部２６１は、システム２の個別チャネルにより送信する信号の送信電力を設定する。具体的には、送信電力設定部２６１は、基地局制御装置３００から受け取る、システム２の個別チャネルにより送信する信号の初期送信電力情報に基づいて、初期送信電力を設定する。また、送信電力設定部２６１は、分離部２４０から出力されるシステム２のＴＰＣコマンドに従って、送信電力を増減させる。
【００４４】
そして、送信電力設定部２６１は、設定した送信電力により、入力される送信信号を送出する。
【００４５】
送信電力設定部２６２は、後述する基地局制御装置３００からのパイロット送信電力設定情報に基づいて、システム２のパイロットチャネルにより送信する信号の送信電力を設定する。
【００４６】
多重部２６３は、送信電力設定部２６１および送信電力設定部２６２からの出力信号を多重して誤り訂正符号化部２６４に出力する。
【００４７】
誤り訂正符号化部２６４は、多重部２６３の出力信号に対して誤り訂正符号化を施して変調部２６５に出力する。
【００４８】
変調部２６５は、誤り訂正符号化後の信号を変調し、変調後の信号をＲＦ送信部２６６に出力する。
【００４９】
ＲＦ送信部２６６は、変調後の信号をＲＦ信号に変換し増幅した後にアンテナを介して送信する。
【００５０】
また、図２に示すように基地局制御装置３００は、送信電力計算部３１０を有する。
【００５１】
送信電力計算部３１０は、システム１のパイロットチャネルの送信電力を設定する送信電力設定部２５２に対してパイロット送信電力設定情報を送出する。また、送信電力計算部３１０は、システム２のパイロットチャネルの送信電力を設定する送信電力設定部２６２に対してパイロット送信電力設定情報を送出する。
【００５２】
また、送信電力計算部３１０は、ハンドオーバ元システムのパイロットチャネルの送信電力と、ハンドオーバ先システムのパイロットチャネルの送信電力と、移動局１００から基地局２００を介して報告される移動局１００におけるハンドオーバ元システムのパイロットチャネルおよび個別チャネル並びにハンドオーバ先システムのパイロットチャネルに関する無線品質情報と、ハンドオーバ先システムの個別チャネルの目標品質を実現する送信電力とが入力され、これら入力情報に基づいてハンドオーバ先の個別チャネルの初期送信電力値を算出する。そして、送信電力計算部３１０は、算出したハンドオーバ先の個別チャネルの初期送信電力情報を、ハンドオーバ先のシステムにおける個別チャネルの送信電力設定部に対して送出する。
【００５３】
次いで、移動局１００、基地局２００および基地局制御装置３００から構成される通信システムの動作、特に基地局２００のシステム１からシステム２へのシステム間ハンドオーバについて説明する。
【００５４】
基地局制御装置３００は、基地局２００のシステム１のパイロットチャネルの現在の送信電力の報告を受ける。なお、基地局２００が自律的に送信電力を変更しない場合には、設定した送信電力を基地局制御装置３００の記録領域から取り出す。
【００５５】
移動局１００は、基地局制御装置３００からの指示を受け、システム１のパイロットチャネルの受信電力を測定する。移動局１００は、測定したシステム１のパイロット受信電力を基地局２００を経由して基地局制御装置３００に報告する。
【００５６】
基地局制御装置３００の送信電力計算部３１０は、基地局２００のシステム１でのパイロットチャネルの送信電力情報と、移動局１００で測定した、システム１のパイロットチャネルの受信電力情報とから、システム１で送信した場合の伝搬損失を算出する。
【００５７】
基地局制御装置３００の送信電力計算部３１０は、システム１とシステム２との送信位置がほぼ同じであることから、システム２の伝搬損失はシステム１の伝搬損失とほぼ同じであるとみなして、このシステム２の個別チャネルの初期送信電力を補正する。
【００５８】
式で表すと式（１）および式（２）のようになる。
DPCH_init_dist＝DPCH_ref_dist＋伝搬損失推定値・・・（１）
伝搬損失推定値＝CPICH_serv−CPICH_RSSI_serv・・・（２）
【００５９】
ここで、DPCH_init_distは、ハンドオーバ先システムの個別チャネルの初期送信電力値である。DPCH_ref_distは、ハンドオーバ先システムの個別チャネルの目標品質を実現する送信電力である。CPICH_servは、ハンドオーバ元システムのパイロットチャネルの送信電力である。CPICH_RSSI_servは、ハンドオーバ元システムのパイロットチャネルの受信電力である。
【００６０】
このようにシステム間のハンドオーバが行われる場合には、ハンドオーバ先の個別チャネルの初期送信電力値（DPCH_init_dist）は、基本的に、ハンドオーバ先システムの個別チャネルの目標品質を実現する送信電力と、伝搬損失推定値との和により求められる。そして、この伝搬損失推定値は、実施の形態１においてはハンドオーバ元システムのパイロットチャネルの送信電力（CPICH_serv）と、ハンドオーバ元システムのパイロットチャネルの受信電力（CPICH_RSSI_serv）との差により求められる。
【００６１】
なお、このような伝搬損失の測定は、基地局制御装置３００が移動局１００に基地局２００のシステム１のパイロットチャネルの送信電力を報知し、移動局１００でパイロットチャネルの受信電力を測定し、伝搬損失を報告することでも可能である。
【００６２】
次に、図３を参照して移動局１００、基地局２００および基地局制御装置３００から構成される通信システムの動作、特に基地局２００のシステム１からシステム２へシステム間のハンドオーバの詳細について説明する。
【００６３】
［通信中の状態］
移動局１００と基地局２００とは、システム１の個別チャネルの上り回線と、システム１の個別チャネルの下り回線とを用いて通信している。基地局２００は、システム１の下り回線においてパイロットチャネルおよびシステム２の下り回線においてパイロットチャネルを送信している。
【００６４】
基地局２００は、システム１の送信信号に対して送信電力設定部２５１にて送信電力を設定する（個別チャネルの送信電力設定）。また、基地局２００は、送信電力設定部２５２にてシステム１のパイロットチャネルに対して基地局制御装置３００から指示された送信電力を設定する。
【００６５】
そして、システム１における個別チャネルの送信信号およびパイロットチャネルは、送信電力設定部２５１および送信電力設定部２５２にて各々設定された送信電力で送出され、多重部２５３にて多重された後に、誤り訂正符号化部２５４にて誤り訂正符号化が施される。さらに、誤り訂正符号化後の信号は、変調部２５５で変調され、ＲＦ送信部２５６にて無線周波数へ変換され増幅された後にアンテナから送信される。なお、システム１の送信電力設定部２５１は、システム１のＴＰＣコマンドに従って送信電力を増減させる。また、基地局２００は、システム２のパイロット信号についてもシステム１のパイロット信号と同様な方法で送信する。
【００６６】
移動局１００は、アンテナを介してシステム１の信号を受信する。この受信信号は、ＲＦ受信部１０１で周波数変換と増幅とが行われ、復調部１０２で復調される。そして、復調後の信号は、誤り訂正部復号部１２０で誤り訂正符号が解かれる。同時に、無線品質測定部１０３は、復調後の信号を用いて無線品質を測定する。そして、ＴＰＣコマンド生成部１４０は、無線品質測定部１０３にて測定された無線品質と所要品質と比較し、ＴＰＣコマンドを決定する。
【００６７】
移動局１００は、多重部１５０にて送信信号とＴＰＣコマンドと多重化し、誤り訂正符号化部１６０にて誤り訂正符号化する。そして、誤り訂正符号化後の信号は、変調部１７０にて変調され、ＲＦ送信部１８０でＲＦ信号に変換され増幅された後にアンテナを介して送信される。
【００６８】
基地局２００は、アンテナを介して移動局１００からの送信信号を受信する。この受信信号は、ＲＦ受信部２１０で周波数変換と増幅とが行われ、復調部２２０にて復調される。復調後の信号は、誤り訂正復号部２３０で誤り訂正符号化が解かれる。この誤り訂正復号後の信号は、分離部２４０でＴＰＣコマンドと送信データとに分離される。
【００６９】
［（ａ）の状態］
基地局制御装置３００が基地局２００に対してシステム１のパイロットチャネルの送信電力を問い合わせ、基地局２００からシステム１のパイロットチャネルの送信電力情報が基地局制御装置３００に対して送信される。
【００７０】
［（ｂ）の状態］
移動局１００は、基地局制御装置３００から基地局２００を通じてシステム１のパイロットチャネルの受信電力の測定の指示を受け、この指示に応じてシステム１のパイロットチャネルの受信電力を無線品質測定部１０３にて測定する。そして、このシステム１のパイロットチャネル受信電力情報は、多重部１５０にて送信信号やＴＰＣコマンドなどと多重されて送信される。
【００７１】
［（ｃ）の状態］
基地局２００は、移動局１００から送信されたシステム１のパイロットチャネル受信電力情報を基地局制御装置３００に送る。
【００７２】
［システムの送信電力設定］
基地局制御装置３００は、移動局１００から基地局２００を介して送信されたシステム１のパイロットチャネル受信電力情報に基づき、上述の式（１）および式（２）を用いてシステム２の個別チャネルの初期送信電力を設定する。
【００７３】
［（ｄ）の状態］
基地局制御装置３００は、設定したシステム２の個別チャネルの初期送信電力情報を基地局２００に対して送出する。
【００７４】
［（ｅ）の状態］
基地局２００の送信電力設定部２６１は、基地局制御装置３００から受け取るシステム２の個別チャネルの初期送信電力情報に応じて初期送信電力を設定し、この初期送信電力により個別チャネルの送信信号を送信する。
【００７５】
そして、移動局１００において、システム２の個別チャネルにおいて基地局２００から送信される信号の受信が開始する。
【００７６】
このように実施の形態１によれば、基地局制御装置３００に、基地局２００の有するハンドオーバ先システムの個別チャネルにおける伝搬損失推定値を取得し、この伝搬損失推定値に基づいてハンドオーバ先システムの個別チャネルの初期送信電力を算出する送信電力計算部３１０を設けた。
【００７７】
こうすることにより、基地局制御装置３００にて伝搬損失推定値に基づいたハンドオーバ先システムの個別チャネルの初期送信電力を算出できるので、この初期送信電力をハンドオーバ完了時のハンドオーバ先システムにおける送信電力とすることにより、より的確な初期送信電力を設定できるため、通信断、通信品質の低下および過剰の送信電力に起因する干渉増大などの問題を回避することができる。そのため、より安定したシステム間ハンドオーバが可能な基地局制御装置を実現することができる。
【００７８】
さらに、送信電力計算部３１０は、ハンドオーバ元システムのパイロットチャネルの送信電力と当該パイロットチャネルの受信局（移動局１００）における受信電力とに基づいて、ハンドオーバ先システムの個別チャネルにおける伝搬損失推定値を算出する。
【００７９】
こうすることにより、ハンドオーバ元システムの利用周波数とハンドオーバ先システムの利用周波数との帯域が余り違わない場合には、ハンドオーバ元システムのパイロットチャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【００８０】
また、実施の形態１によれば、通信システムに、ハンドオーバ先システムの個別チャネルにおける伝搬損失推定値を取得する送信電力計算部３１０を有する基地局制御装置３００と、伝搬損失推定値に基づいてハンドオーバ先システムの個別チャネルの初期送信電力を設定する送信電力設定部２５１（送信電力設定部２６１）を有する基地局２００と、を設けた。
【００８１】
こうすることにより、基地局制御装置３００にて伝搬損失推定値に基づいたハンドオーバ先システムの個別チャネルの初期送信電力を算出できるので、この初期送信電力をハンドオーバ完了時のハンドオーバ先システムにおける送信電力とすることにより、より的確な初期送信電力を設定できるため、通信断、通信品質の低下および過剰の送信電力に起因する干渉増大などの問題を回避することができる。そのため、より安定したシステム間ハンドオーバが可能な通信システムを実現することができる。
【００８２】
（実施の形態２）
実施の形態１においてはシステム間ハンドオーバする場合に、ハンドオーバ元のパイロットチャネルを用いて求めるハンドオーバ元の伝搬損失をハンドオーバ先の個別チャネルの伝搬損失推定値として利用してハンドオーバ先の個別チャネルにおける初期送信電力値を求めた。実施の形態２の特徴は、システム間ハンドオーバする場合に、ハンドオーバ元の個別チャネルを用いて求めるハンドオーバ元の伝搬損失をハンドオーバ先の個別チャネルの伝搬損失推定値として利用してハンドオーバ先の個別チャネルにおける初期送信電力値を求める点にある。
【００８３】
図４に示すように、実施の形態２の基地局制御装置４００は、送信電力計算部４１０を有する。
【００８４】
この送信電力計算部４１０は、基本的に前述の送信電力計算部３１０と同様の動作を行うが、ハンドオーバ先のシステムの初期送信電力を補正する際にハンドオーバ元システムの個別チャネルを用いる点で異なる。
【００８５】
具体的には、基地局制御装置４００の送信電力計算部４１０は、基地局２００のハンドオーバ元システムでの個別チャネルの送信電力情報と、移動局１００で測定した、ハンドオーバ元システムの個別チャネル受信電力情報とから、ハンドオーバ元システムで送信した場合の伝搬損失を算出する。
【００８６】
基地局制御装置４００の送信電力計算部４１０は、ハンドオーバ元システムとハンドオーバ先システムとの送信位置がほぼ同じであることから、ハンドオーバ先システムの伝搬損失はハンドオーバ元システムの伝搬損失とほぼ同じであるとみなして、このハンドオーバ先システムの個別チャネルの初期送信電力を補正する。
【００８７】
式で表すと式（１）および式（３）のようになる。
DPCH_init_dist＝DPCH_ref_dist＋伝搬損失推定値・・・（１）
伝搬損失推定値＝DPCH_serv−DPCH_RSSI_serv・・・（３）
【００８８】
ここで、DPCH_servは、ハンドオーバ元システムの個別チャネルの送信電力である。DPCH_RSSI_servは、ハンドオーバ元システムの個別チャネルの受信電力である。
【００８９】
このようにシステム間のハンドオーバが行われる場合には、実施の形態１と同様にハンドオーバ先システムの個別チャネルの目標品質を実現する送信電力と、伝搬損失推定値との和により求められる。しかしながら、伝搬損失推定値は、実施の形態２においてはハンドオーバ元システムの個別チャネルの送信電力（DPCH_serv）と、ハンドオーバ元システムの個別チャネルの受信電力（DPCH_RSSI_serv）との差により求められる。
【００９０】
次に、図５を参照して移動局１００、基地局２００および基地局制御装置４００から構成される通信システムの動作、特に基地局２００のシステム１からシステム２へシステム間のハンドオーバの詳細について説明する。なお、通信中の状態は、実施の形態１において図３を参照して説明したものと同様であるのでその説明を省略する。
【００９１】
［（ａ）の状態］
基地局制御装置４００が基地局２００に対してシステム１の個別チャネルの送信電力を問い合わせ、基地局２００からシステム１の個別チャネルの送信電力情報が基地局制御装置４００に対して送信される。
【００９２】
［（ｂ）の状態］
移動局１００は、基地局制御装置４００から基地局２００を通じてシステム１の個別チャネルの受信電力の測定の指示を受け、この指示に応じてシステム１の個別チャネルの受信電力を無線品質測定部１０３にて測定する。そして、このシステム１の個別チャネル受信電力情報は、多重部１５０にて送信信号やＴＰＣコマンドなどと多重されて送信される。
【００９３】
［（ｃ）の状態］
基地局２００は、移動局１００から送信されたシステム１の個別チャネル受信電力情報を基地局制御装置４００に送る。
【００９４】
［システムの送信電力設定］
基地局制御装置４００は、移動局１００から基地局２００を介して送信されたシステム１の個別チャネル受信電力情報に基づき、上述の式（１）および式（３）を用いてシステム２の個別チャネルの初期送信電力を設定する。
【００９５】
［（ｄ）の状態］
基地局制御装置４００は、設定したシステム２の個別チャネルの初期送信電力情報を基地局２００に対して送出する。
【００９６】
［（ｅ）の状態］
基地局２００の送信電力設定部２６１は、基地局制御装置４００から受け取るシステム２の個別チャネルの初期送信電力情報に応じて初期送信電力を設定し、この初期送信電力により個別チャネルの送信信号を送信する。
【００９７】
そして、移動局１００において、システム２の個別チャネルにおいて基地局２００から送信される信号の受信が開始する。
【００９８】
このように実施の形態２によれば、基地局制御装置４００に、基地局２００の有するハンドオーバ先システムの個別チャネルにおける伝搬損失推定値を取得し、この伝搬損失推定値に基づいてハンドオーバ先システムの個別チャネルの初期送信電力を算出する送信電力計算部４１０を設けた。
【００９９】
この送信電力計算部４１０は、ハンドオーバ元システムの個別チャネルの送信電力と当該個別チャネルの受信局（移動局１００）における受信電力とに基づいて、ハンドオーバ先システムの個別チャネルにおける伝搬損失推定値を算出する。
【０１００】
こうすることにより、ハンドオーバ元システムの利用周波数とハンドオーバ先システムの利用周波数との帯域が余り違わない場合には、ハンドオーバ元システムの個別チャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１０１】
（実施の形態３）
実施の形態１においてはシステム間ハンドオーバする場合に、ハンドオーバ元のパイロットチャネルを用いて求めるハンドオーバ元の伝搬損失をハンドオーバ先の個別チャネルの伝搬損失推定値として利用してハンドオーバ先の個別チャネルにおける初期送信電力値を求めた。実施の形態３の特徴は、システム間ハンドオーバする場合に、ハンドオーバ元の個別チャネルの初期送信電力値とハンドオーバ元個別チャネルの現在の送信電力値との差分からハンドオーバ元の伝搬損失に相当する値を求め、この値をハンドオーバ先の個別チャネルの伝搬損失推定値として利用してハンドオーバ先の個別チャネルにおける初期送信電力値を求める点にある。
【０１０２】
図６に示すように、実施の形態３の基地局制御装置５００は、送信電力計算部５１０を有する。
【０１０３】
この送信電力計算部５１０は、ハンドオーバ元システムの個別チャネルの初期送信電力値（図示しないメモリに記憶されている）と、ハンドオーバ元システムの個別チャネルの現在の送信電力値と、ハンドオーバ先システムの個別チャネルの目標品質を実現する送信電力とが入力され、これら入力情報に基づいてハンドオーバ先の個別チャネルの初期送信電力値を算出する。
【０１０４】
具体的には、基地局制御装置５００の送信電力計算部５１０は、基地局２００のハンドオーバ元システムの個別チャネルの初期送信電力値と、ハンドオーバ元システムの個別チャネルの現在の送信電力値との差分（ハンドオーバ元システムの伝搬損失に相当する）をとり、これをハンドオーバ先システムの個別チャネルの伝搬損失推定値として利用してハンドオーバ先の個別チャネルにおける初期送信電力値を求める。
【０１０５】
基地局制御装置５００の送信電力計算部５１０は、ハンドオーバ元システムとハンドオーバ先システムとの送信位置がほぼ同じであることから、ハンドオーバ先システムの伝搬損失はハンドオーバ元システムの伝搬損失とほぼ同じであるとみなして、このハンドオーバ先システムの初期送信電力を補正する。
【０１０６】
式で表すと式（１）および式（４）のようになる。
DPCH_init_dist＝DPCH_ref_dist＋伝搬損失推定値・・・（１）
伝搬損失推定値＝DPCH_ref_serv−DPCH_serv・・・（４）
【０１０７】
ここで、DPCH_ref_servは、ハンドオーバ元システムの個別チャネルの初期送信電力である。DPCH_servは、ハンドオーバ元システムの個別チャネルの現時点の送信電力である。
【０１０８】
このようにシステム間のハンドオーバが行われる場合には、実施の形態１と同様にハンドオーバ先システムの個別チャネルの目標品質を実現する送信電力と、伝搬損失推定値との和により求められる。しかしながら、伝搬損失推定値は、実施の形態３においてはハンドオーバ元システムの個別チャネルの初期送信電力とハンドオーバ元システムの個別チャネルの現時点の送信電力との差により求められる。
【０１０９】
そして、送信電力計算部５１０は、算出したハンドオーバ先の個別チャネルの初期送信電力情報を、ハンドオーバ先システムにおける個別チャネルの送信電力設定部に対して送出する。
【０１１０】
次に、図７を参照して移動局１００、基地局２００および基地局制御装置５００から構成される通信システムの動作、特に基地局２００のシステム１からシステム２へのシステム間ハンドオーバの詳細について説明する。なお、通信中の状態は、実施の形態１において図３を参照して説明したものと同様であるのでその説明を省略する。
【０１１１】
［（ａ）の状態］
基地局制御装置５００が基地局２００に対してシステム１の個別チャネルの送信電力を問い合わせ、基地局２００からシステム１の個別チャネルの送信電力情報が基地局制御装置５００に対して送信される。
【０１１２】
［システムの送信電力設定］
基地局制御装置５００は、基地局２００から送信されたシステム１の個別チャネルに関する現在の送信電力情報とハンドオーバ元システムの個別チャネルの初期送信電力とに基づき、上述の式（１）および式（４）を用いてシステム２の個別チャネルの初期送信電力を設定する。
【０１１３】
［（ｂ）の状態］
基地局制御装置５００は、設定したシステム２の個別チャネルの初期送信電力情報を基地局２００に対して送出する。
【０１１４】
［（ｃ）の状態］
基地局２００の送信電力設定部２６１は、基地局制御装置５００から受け取るシステム２の個別チャネルの初期送信電力情報に応じて初期送信電力を設定し、この初期送信電力により個別チャネルの送信信号を送信する。
【０１１５】
そして、移動局１００において、システム２の個別チャネルにおいて基地局２００から送信される信号の受信が開始する。
【０１１６】
このように実施の形態３によれば、基地局制御装置５００に、基地局２００の有するハンドオーバ先システムの個別チャネルにおける伝搬損失推定値を取得し、この伝搬損失推定値に基づいてハンドオーバ先システムの個別チャネルの初期送信電力を算出する送信電力計算部５１０を設けた。
【０１１７】
この送信電力計算部５１０は、ハンドオーバ元システムの個別チャネルの初期送信電力と当該個別チャネルの現時点の送信電力とに基づいて、ハンドオーバ先システムの個別チャネルにおける伝搬損失推定値を算出する。
【０１１８】
こうすることにより、ハンドオーバ元システムの個別チャネルの初期送信電力と当該個別チャネルの現時点の送信電力とから当該ハンドオーバ元システムの個別チャネルにおける伝搬損失値に相当する値を求めることができ、また、ハンドオーバ元システムの利用周波数とハンドオーバ先システムの利用周波数との帯域が余り違わない場合には、ハンドオーバ元システムの個別チャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１１９】
（実施の形態４）
実施の形態１においてはシステム間ハンドオーバする場合に、ハンドオーバ元のパイロットチャネルを用いて求めるハンドオーバ元の伝搬損失をハンドオーバ先の個別チャネルの伝搬損失推定値として利用してハンドオーバ先の個別チャネルにおける初期送信電力値を求めた。実施の形態４の特徴は、システム間ハンドオーバする場合に、ハンドオーバ先のパイロットチャネルを用いて求めるハンドオーバ先パイロットチャネルの伝搬損失をハンドオーバ先個別チャネルの伝搬損失推定値として利用してハンドオーバ先の個別チャネルにおける初期送信電力値を求める点にある。
【０１２０】
図８に示すように、実施の形態４の基地局制御装置６００は、送信電力計算部６１０を有する。
【０１２１】
この送信電力計算部６１０は、基本的に前述の送信電力計算部３１０と同様の動作を行うが、ハンドオーバ先のシステムの初期送信電力を補正する際にハンドオーバ先システムのパイロットチャネルを用いる点で異なる。
【０１２２】
具体的には、基地局制御装置６００の送信電力計算部６１０は、基地局２００のハンドオーバ先のパイロットチャネルの送信電力情報と、移動局１００で測定した、ハンドオーバ先システムのパイロットチャネル受信電力情報とから、ハンドオーバ先システムのパイロットチャネルの伝搬損失を算出する。
【０１２３】
基地局制御装置６００の送信電力計算部６１０は、ハンドーバ先システムのパイロットチャネルの伝搬損失と個別チャネルの伝搬損失とがほぼ同じであるとみなして、このハンドオーバ先システムの個別チャネルの初期送信電力を補正する。
【０１２４】
式で表すと式（１）および式（５）のようになる。
DPCH_init_dist＝DPCH_ref_dist＋伝搬損失推定値・・・（１）
伝搬損失推定値＝CPICH_dist−CPICH_RSSI_dist・・・（５）
【０１２５】
ここで、CPICH_distは、ハンドオーバ先システムのパイロットチャネルの送信電力である。CPICH_RSSI_distは、ハンドオーバ先システムのパイロットチャネルの受信電力である。
【０１２６】
このようにシステム間のハンドオーバが行われる場合には、実施の形態１と同様にハンドオーバ先システムの個別チャネルの目標品質を実現する送信電力と、伝搬損失推定値との和により求められる。しかしながら、伝搬損失推定値は、実施の形態４においてはハンドオーバ先システムのパイロットチャネルの送信電力（CPICH_dist）と、ハンドオーバ先システムのパイロットチャネルの受信電力（CPICH_RSSI_dist）との差により求められる。
【０１２７】
次に、図９を参照して移動局１００、基地局２００および基地局制御装置６００から構成される通信システムの動作、特に基地局２００のシステム１からシステム２へのシステム間ハンドオーバの詳細について説明する。なお、通信中の状態は、実施の形態１において図３を参照して説明したものと同様であるのでその説明を省略する。
【０１２８】
［（ａ）の状態］
基地局制御装置６００が基地局２００に対してシステム１の個別チャネルの送信電力を問い合わせ、基地局２００からシステム１のパイロットチャネルの送信電力情報が基地局制御装置６００に対して送信される。
【０１２９】
［（ｂ）の状態］
移動局１００は、基地局制御装置６００から基地局２００を通じてシステム１のパイロットチャネルの受信電力の測定の指示を受け、この指示に応じてシステム１のパイロットチャネルの受信電力を無線品質測定部１０３にて測定する。そして、このシステム１のパイロットチャネル受信電力測定情報は、多重部１５０にて送信信号やＴＰＣコマンドなどと多重されて送信される。
【０１３０】
［（ｃ）の状態］
基地局２００は、移動局１００から送信されたシステム１のパイロットチャネル受信電力測定情報を基地局制御装置６００に送る。
【０１３１】
［システムの送信電力設定］
基地局制御装置６００は、移動局１００から基地局２００を介して送信されたシステム１のパイロットチャネル受信電力測定情報に基づき、上述の式（１）および式（５）を用いてシステム２の個別チャネルの初期送信電力を設定する。
【０１３２】
［（ｄ）の状態］
基地局制御装置６００は、設定したシステム２の個別チャネルの初期送信電力情報を基地局２００に対して送出する。
【０１３３】
［（ｅ）の状態］
基地局２００の送信電力設定部２６１は、基地局制御装置６００から受け取るシステム２の個別チャネルの初期送信電力情報に応じて初期送信電力を設定し、この初期送信電力により個別チャネルの送信信号を送信する。
【０１３４】
そして、移動局１００において、システム２の個別チャネルにおいて基地局２００から送信される信号の受信が開始する。
【０１３５】
このように実施の形態４によれば、基地局制御装置６００に、基地局２００の有するハンドオーバ先システムの個別チャネルにおける伝搬損失推定値を取得し、この伝搬損失推定値に基づいてハンドオーバ先システムの個別チャネルの初期送信電力を算出する送信電力計算部６１０を設けた。
【０１３６】
この送信電力計算部６１０は、ハンドオーバ先システムのパイロットチャネルの送信電力と当該パイロットチャネルの受信局における受信電力とに基づいて、ハンドオーバ先システムの個別チャネルにおける伝搬損失推定値を算出する。
【０１３７】
こうすることにより、ハンドオーバ先システムのパイロットチャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１３８】
（実施の形態５）
実施の形態１乃至実施の形態４にて示したようにハンドオーバ先システムの個別チャネルの初期送信電力値を設定しても、例えばハンドオーバに時間が掛かる場合には、ハンドオーバ先に個別チャネル通信が移ったときには初期送信電力値を設定したときからハンドーバ先システムの状況が変化している可能性がある。この場合、ハンドオーバ先システムにおいては、初期送信電力値から適当な送信電力に調整するまでの間一時的に通信品質が悪くなることや、初期送信電力が適正値から過剰な状態にあることに起因して干渉が大きくなる問題が生じうる。
【０１３９】
実施の形態５においては、かかる問題を解決するために、移動局が伝搬損失の変動を基地局に対して報告し、基地局が基地局制御装置から受け取るハンドオーバ先システムの個別チャネルの初期送信電力値を移動局から報告される伝搬損失変動情報に基づいて補正する。そして、基地局は、伝搬損失変動情報に基づいて補正した後のハンドオーバ先システムの個別チャネルの初期送信電力値に基づき、初期送信電力を設定する。ここでは特に、このような伝搬損失変動情報（本実施の形態では、「仮想ＴＰＣ」を用いる）に基づいてハンドオーバ先システムの個別チャネルの初期送信電力値を補正する方法を実施の形態１に適用した場合について説明する。
【０１４０】
図１０に示すように実施の形態５の移動局７００は、ＴＰＣコマンド生成部７１０と、メモリ７１１と、仮想ＴＰＣコマンド生成部７１２とを有する。
【０１４１】
ＴＰＣコマンド生成部７１０は、無線品質測定部１０３又は無線品質測定部１１３からの無線品質情報と所要品質と比較しＴＰＣコマンドを決定して、決定したＴＰＣコマンドを多重部１５０に出力する。
【０１４２】
また、ＴＰＣコマンド生成部７１０は、移動局７００がハンドオーバ元システムであるシステム１のパイロットチャネル受信電力情報を基地局に対して送信する時点のハンドオーバ先システムであるシステム２のパイロットチャネル受信電力を基準（以下、「仮想基準電力」という）とし、メモリ７１１に記憶する。
【０１４３】
そして、ＴＰＣコマンド生成部７１０の仮想ＴＰＣ生成部７１２は、一定時間間隔ごとにハンドオーバ先システムであるシステム２のパイロットチャネル受信電力と、メモリ７１１に記憶した仮想基準電力とを比較して、仮想ＴＰＣを生成する。具体的には、比較の結果システム２のパイロットチャネル受信電力が仮想基準電力よりも大きいときには、送信電力をＮ［ｄＢ］上げる旨の仮想ＴＰＣを生成する。一方、比較の結果システム２のパイロットチャネル受信電力が仮想基準電力よりも小さいときには、送信電力をＮ［ｄＢ］下げる旨の仮想ＴＰＣを生成する。
【０１４４】
そして、ＴＰＣコマンド生成部７１０は、仮想ＴＰＣ生成部７１２にて生成した仮想ＴＰＣを多重部１５０に出力する。
【０１４５】
システム２へのシステム間ハンドオーバが完了する前は、移動局７００はシステム１の送信電力制御を行っている。ハンドオーバの準備期間、すなわち移動局７００がハンドオーバ元システムであるシステム１のパイロットチャネル受信電力情報を基地局に対して送信する時点からシステム２へのハンドオーバが完了するまでの間は、基地局のシステム１に向けたＴＰＣコマンドを上記仮想ＴＰＣが生成されたタイミングで置き換えて送信する。なお、基地局のシステム１に向けたＴＰＣコマンドを上記仮想ＴＰＣが生成されたタイミングで置き換えるのではなく、システム１に向けたＴＰＣコマンドと仮想ＴＰＣとを多重して基地局に送信してもよい。
【０１４６】
図１１に示すように、実施の形態５の基地局８００は、分離部８１０と、システム１の個別チャネルの送信電力を設定する送信電力設定部８２１と、システム２の個別チャネルの送信電力を設定する送信電力設定部８３１とを有する。
【０１４７】
分離部８１０は、誤り訂正後の信号を受け取り、信号ごとに分離して各々の出力先に出力する。具体的には、分離して得られる、移動局７００からの無線品質情報は、基地局制御装置３００に送出される。また、分離して得られる、移動局７００から送信されたシステム１のＴＰＣコマンドは、送信電力設定部８２１に送出される。また、分離して得られる、移動局７００から送信されたシステム２のＴＰＣコマンドは、送信電力設定部８３１に送出される。また、分離して得られる、移動局７００から送信された仮想ＴＰＣは、ハンドオーバ先システムがシステム１である場合には送信電力設定部８２１に送出され、ハンドオーバ先システムがシステム２である場合には送信電力設定部８３１に送出される。
【０１４８】
送信電力設定部８２１は、ハンドオーバ先システムがシステム１である場合には、基地局制御装置３００から個別チャネルの初期送信電力情報を受け取って設定するとともに、分離部８１０から受け取る仮想ＴＰＣにより順次補正して補正後の初期送信電力を設定する。
【０１４９】
送信電力設定部８３１は、ハンドオーバ先システムがシステム２である場合には、基地局制御装置３００から個別チャネルの初期送信電力情報を受け取って設定するとともに、分離部８１０から受け取る仮想ＴＰＣにより順次補正して補正後の初期送信電力を設定する。
【０１５０】
すなわち、ハンドオーバ先システムがシステム１（システム２）である場合、送信電力設定部８２１（送信電力設定部８３１）は、式（６）で表すように初期送信電力値を補正している。
DPCH_init_dist＝DPCH_init_dist＋Σ仮想ＴＰＣ・・・（６）
【０１５１】
ここでΣ仮想ＴＰＣは、仮想ＴＰＣの生成が開始する時刻、すなわち移動局７００がハンドオーバ元システムのパイロットチャネル受信電力情報を基地局に対して送信する時刻からのハンドオーバ先システムにおける現在までの変動を意味している。
【０１５２】
こうすることにより、例えばシステム間ハンドオーバに時間が掛かるような場合でも、移動局７００から送信される仮想ＴＰＣにより初期送信電力を順次補正することにより、ハンドオーバ先システムの状況変化に追従することができるので、システム間ハンドオーバ完了時に通信品質の低下などが生じることを防止することができる。
【０１５３】
次いで、移動局７００、基地局８００および基地局制御装置３００から構成される通信システムの動作、特に基地局８００のシステム１からシステム２へのシステム間ハンドオーバについて図１２を参照して説明する。なお、通信中の状態、（ａ）の状態、（ｂ）の状態、（ｃ）の状態、システムの送信電力設定および（ｄ）の状態は、実施の形態１において図３を参照して説明したものと同様であるのでその説明を省略する。
【０１５４】
［（ｘ）の状態］
移動局７００は、一定時間間隔ごとにハンドオーバ先システムであるシステム２のパイロットチャネル受信電力と、メモリ７１１に記憶した仮想基準電力とを比較して仮想ＴＰＣを生成し、この仮想ＴＰＣを基地局８００のシステム２に送信する。
【０１５５】
そして、（ｄ）の状態により基地局制御装置３００から送信される初期送信電力情報に基づいて初期送信電力を設定するとともに、移動局７００から受け取る仮想ＴＰＣにより順次補正を行い補正後の初期送信電力を設定する。
【０１５６】
［（ｅ）の状態］
基地局８００の送信電力設定部８３１は、補正後の初期送信電力により個別チャネルの送信信号を送信する。
【０１５７】
そして、移動局７００において、システム２の個別チャネルにおいて基地局８００から送信される信号の受信が開始する。
【０１５８】
なお、上記説明においては、伝搬損失変動情報（本実施の形態では、「仮想ＴＰＣ」を用いる）に基づいてハンドオーバ先システムの個別チャネルの初期送信電力値を補正する方法を実施の形態１に適用した場合について説明したが、本発明はこれに限られず、実施の形態２および実施の形態４についても適用することができる。
【０１５９】
ただし、実施の形態２に適用した場合の「仮想基準電力」は、移動局１００がハンドオーバ元システムであるシステム１の個別チャネル受信電力情報を基地局に対して送信する時点のハンドオーバ先システムであるシステム２のパイロットチャネル受信電力である。
【０１６０】
また、実施の形態４に適用した場合の「仮想基準電力」は、移動局１００が基地局に対して送信するハンドオーバ先システムであるシステム２のパイロットチャネル受信電力そのものである。
【０１６１】
このように実施の形態５によれば、基地局８００に、ハンドオーバ先システムの個別チャネルの初期送信電力を設定し、この初期送信電力をハンドオーバ先システムのパイロットチャネルの受信局（移動局７００）における受信電力変動情報（例えば、仮想ＴＰＣ）に応じて補正する送信電力設定部８２１（送信電力設定部８３１）を設けた。
【０１６２】
こうすることにより、ハンドオーバ先システムの状況変化に追従することができるので、システム間ハンドオーバ完了時に通信品質の低下などが生じることを防止することができる。よって、より安定したシステム間ハンドオーバが可能な基地局を実現することができる。
【０１６３】
また、実施の形態５によれば、移動局７００に、ハンドオーバ先システムのパイロットチャネルの受信電力変動情報（例えば、仮想ＴＰＣ）を生成し、この受信電力変動情報（例えば、仮想ＴＰＣ）を接続中のハンドオーバ元システムの個別チャネルを用いて送信する仮想ＴＰＣ生成部７１２を設けた。
【０１６４】
こうすることにより、受信電力変動情報を受信する基地局８００が、この受信電力変動情報によりハンドオーバ先システムの個別チャネルの初期送信電力を補正することができるので、ハンドオーバ先システムの状況変化に追従することができるため、システム間ハンドオーバ完了時に通信品質の低下などが生じることを防止することができる。よって、より安定したシステム間ハンドオーバに貢献する移動局を実現することができる。
【０１６５】
（他の実施の形態）
（１）実施の形態１乃至実施の形態５においては、基地局のシステム１、システム２にて利用される周波数帯が近いことを前提として説明を行った。システム１とシステム２との周波数が大きく異なる場合には、以下に示すような補正が必要となる。
【０１６６】
例えば、実施の形態１に示す式（２）では、システム１の伝搬損失を用いてシステム２の初期送信電力を補正している。しかし、両システムで周波数が大きく異なると伝搬損失は異なる。例えば、「電波伝搬ハンドブック(リアライズ社)」のp.205に記載されている奥村-秦カーブでは、周波数f[MHz]に対して33.9log10(f) [dB]の伝搬損失が報告されている。例えば、1500MHzと2000MHｚでは約4.2dB異なる。
【０１６７】
そこで、システム間ハンドオーバに関しハンドオーバ元のシステム（システム１）とハンドオーバ先のシステム（システム２）との間で周波数が大きく異なる場合には、基地局制御装置３００は、式（２）でシステム１の伝搬損失を求めた後に、周波数から伝搬損失を算出する式やテーブルを用いて周波数の違いによる伝搬損失を補正する。補正した後に、式（１）に代入してシステム２の初期送信電力を決定する。
【０１６８】
こうすることにより、ハンドオーバ先システムの個別チャネルの初期送信電力をより的確に設定できるので、通信断、通信品質の低下および過剰の送信電力に起因する干渉増大などの問題を回避することができる。そのため、より安定したシステム間ハンドオーバが可能となる。
【０１６９】
（２）実施の形態１乃至実施の形態５においては、基地局と基地局制御装置とが各々独立する装置として説明したが、本発明はこれに限定されるものではなく、一体のユニット（基地局ユニット）として構成されていてもよい。
【０１７０】
本発明の通信システムの第１の態様は、移動局と、前記移動局と通信を行う複数の異なるシステムを有する基地局ユニットとを有する通信システムであって、前記基地局ユニットが、ハンドオーバ先システムの個別チャネルにおける伝搬損失推定値を取得する伝搬損失推定値取得手段と、前記伝搬損失推定値に基づいて前記ハンドオーバ先システムの個別チャネルの初期送信電力を設定する送信電力設定手段と、を具備する構成を採る。
【０１７１】
この構成によれば、基地局制御装置にて伝搬損失推定値に基づいたハンドオーバ先システムの個別チャネルの初期送信電力を算出できるので、この初期送信電力をハンドオーバ完了時のハンドオーバ先システムにおける送信電力とすることにより、より的確な初期送信電力を設定できるため、通信断、通信品質の低下および過剰の送信電力に起因する干渉増大などの問題を回避することができる。そのため、より安定したシステム間ハンドオーバが可能な通信システムを実現することができる。
【０１７２】
本発明の通信システムの第２の態様は、前記基地局ユニットが、前記伝搬損失推定値取得手段を有する基地局制御装置と、前記送信電力設定手段を有する基地局とを具備する構成を採る。
【０１７３】
本発明の通信システムの第３の態様は、前記伝搬損失推定値取得手段が、ハンドオーバ元システムのパイロットチャネルの送信電力と当該パイロットチャネルの前記移動局における受信電力とに基づいて、前記ハンドオーバ先システムの個別チャネルにおける伝搬損失推定値を算出する構成を採る。
【０１７４】
この構成によれば、ハンドオーバ元システムの利用周波数とハンドオーバ先システムの利用周波数との帯域が余り違わない場合には、ハンドオーバ元システムのパイロットチャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１７５】
本発明の通信システムの第４の態様は、前記伝搬損失推定値取得手段が、ハンドオーバ元システムの個別チャネルの送信電力と当該個別チャネルの前記移動局における受信電力とに基づいて、前記ハンドオーバ先システムの個別チャネルにおける伝搬損失推定値を算出する構成を採る。
【０１７６】
この構成によれば、ハンドオーバ元システムの利用周波数とハンドオーバ先システムの利用周波数との帯域が余り違わない場合には、ハンドオーバ元システムの個別チャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１７７】
本発明の通信システムの第５の態様は、前記伝搬損失推定値取得手段が、ハンドオーバ元システムの個別チャネルの初期送信電力と当該個別チャネルの現時点の送信電力とに基づいて、前記ハンドオーバ先システムの個別チャネルにおける伝搬損失推定値を算出する
【０１７８】
この構成によれば、ハンドオーバ元システムの個別チャネルの初期送信電力と当該個別チャネルの現時点の送信電力とから当該ハンドオーバ元システムの個別チャネルにおける伝搬損失値に相当する値を求めることができ、また、ハンドオーバ元システムの利用周波数とハンドオーバ先システムの利用周波数との帯域が余り違わない場合には、ハンドオーバ元システムの個別チャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１７９】
本発明の通信システムの第６の態様は、前記伝搬損失推定値取得手段が、前記ハンドオーバ先システムのパイロットチャネルの送信電力と当該パイロットチャネルの前記移動局における受信電力とに基づいて、前記ハンドオーバ先システムの個別チャネルにおける伝搬損失推定値を算出する構成を採る。
【０１８０】
この構成によれば、ハンドオーバ先システムのパイロットチャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１８１】
本発明の通信システムの第７の態様は、前記送信電力設定手段が、前記ハンドオーバ先システムの個別チャネルの初期送信電力を前記移動局における前記ハンドオーバ先システムのパイロットチャネルの受信電力変動情報に応じて補正する構成を採る。
【０１８２】
この構成によれば、ハンドオーバ先システムの状況変化に追従することができるので、システム間ハンドオーバ完了時に通信品質の低下などが生じることを防止することができる。
【０１８３】
本発明の基地局ユニットの第１の態様は、複数の異なる通信システムを有する基地局ユニットであって、ハンドオーバ先システムの個別チャネルにおける伝搬損失推定値を取得する伝搬損失推定値取得手段と、前記伝搬損失推定値に基づいて前記ハンドオーバ先システムの個別チャネルの初期送信電力を設定する送信電力設定手段と、を具備する構成を採る。
【０１８４】
この構成によれば、伝搬損失推定値に基づいたハンドオーバ先システムの個別チャネルの初期送信電力を算出できるので、この初期送信電力をハンドオーバ完了時のハンドオーバ先システムにおける送信電力とすることにより、より的確な初期送信電力を設定できるため、通信断、通信品質の低下および過剰の送信電力に起因する干渉増大などの問題を回避することができる。
【０１８５】
本発明の基地局制御装置の第１の態様は、ハンドオーバ先システムの個別チャネルにおける伝搬損失推定値を取得する伝搬損失推定値取得手段と、前記伝搬損失推定値に基づいて前記ハンドオーバ先システムの個別チャネルの初期送信電力を算出する送信電力算出手段と、を具備する構成を採る。
【０１８６】
この構成によれば、伝搬損失推定値に基づいたハンドオーバ先システムの個別チャネルの初期送信電力を算出できるので、この初期送信電力をハンドオーバ完了時のハンドオーバ先システムにおける送信電力とすることにより、より的確な初期送信電力を設定できるため、通信断、通信品質の低下および過剰の送信電力に起因する干渉増大などの問題を回避することができる。そのため、より安定したシステム間ハンドオーバが可能な基地局制御装置を実現することができる。
【０１８７】
本発明の基地局制御装置の第２の態様は、前記伝搬損失推定値取得手段が、ハンドオーバ元システムのパイロットチャネルの送信電力と当該パイロットチャネルの受信局における受信電力とに基づいて、前記ハンドオーバ先システムの個別チャネルにおける伝搬損失推定値を算出する構成を採る。
【０１８８】
この構成によれば、ハンドオーバ元システムの利用周波数とハンドオーバ先システムの利用周波数との帯域が余り違わない場合には、ハンドオーバ元システムのパイロットチャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１８９】
本発明の基地局制御装置の第３の態様は、前記伝搬損失推定値取得手段が、ハンドオーバ元システムの個別チャネルの送信電力と当該個別チャネルの受信局における受信電力とに基づいて、前記ハンドオーバ先システムの個別チャネルにおける伝搬損失推定値を算出する構成を採る。
【０１９０】
この構成によれば、ハンドオーバ元システムの利用周波数とハンドオーバ先システムの利用周波数との帯域が余り違わない場合には、ハンドオーバ元システムの個別チャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１９１】
本発明の基地局制御装置の第４の態様は、前記伝搬損失推定値取得手段が、ハンドオーバ元システムの個別チャネルの初期送信電力と当該個別チャネルの現時点の送信電力とに基づいて、前記ハンドオーバ先システムの個別チャネルにおける伝搬損失推定値を算出する構成を採る。
【０１９２】
この構成によれば、ハンドオーバ元システムの個別チャネルの初期送信電力と当該個別チャネルの現時点の送信電力とから当該ハンドオーバ元システムの個別チャネルにおける伝搬損失値に相当する値を求めることができ、また、ハンドオーバ元システムの利用周波数とハンドオーバ先システムの利用周波数との帯域が余り違わない場合には、ハンドオーバ元システムの個別チャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１９３】
本発明の基地局制御装置の第５の態様は、前記伝搬損失推定値取得手段が、前記ハンドオーバ先システムのパイロットチャネルの送信電力と当該パイロットチャネルの受信局における受信電力とに基づいて、前記ハンドオーバ先システムの個別チャネルにおける伝搬損失推定値を算出する構成を採る。
【０１９４】
この構成によれば、ハンドオーバ先システムのパイロットチャネルにおける伝搬損失値と、これから接続されるハンドオーバ先システムの個別チャネルにおける伝搬損失値とが略同じであるとみなすことができるので、ハンドオーバ先システムの個別チャネルにおける伝搬損失推定値を算出することができる。
【０１９５】
本発明の基地局の第１の態様は、複数の異なる通信システムを有する基地局であって、ハンドオーバ先システムの個別チャネルの初期送信電力を設定する送信電力設定手段と、前記初期送信電力を前記ハンドオーバ先システムのパイロットチャネルの受信局における受信電力変動情報に応じて補正する送信電力補正手段と、を具備する構成を採る。
【０１９６】
この構成によれば、ハンドオーバ先システムの状況変化に追従することができるので、システム間ハンドオーバ完了時に通信品質の低下などが生じることを防止することができる。よって、より安定したシステム間ハンドオーバが可能な基地局を実現することができる。
【０１９７】
本発明の移動局の第１の態様は、複数の異なる通信システムとの通信可能な移動局であって、ハンドオーバ先システムのパイロットチャネルの受信電力変動情報を生成する変動情報生成手段と、前記受信電力変動情報を接続中のハンドオーバ元システムの個別チャネルを用いて送信する送信手段と、を具備する構成を採る。
【０１９８】
この構成によれば受信電力変動情報を受信する基地局が、この受信電力変動情報によりハンドオーバ先システムの個別チャネルの初期送信電力を補正することができるので、ハンドオーバ先システムの状況変化に追従することができるため、システム間ハンドオーバ完了時に通信品質の低下などが生じることを防止することができる。よって、より安定したシステム間ハンドオーバに貢献する移動局を実現することができる。
【産業上の利用可能性】
【０１９９】
本発明の通信システム、基地局ユニット、基地局制御装置、基地局および移動局は、安定したシステム間ハンドオーバを実現するものとして有用である。
【図面の簡単な説明】
【０２００】
【図１】本発明の実施の形態１に係る移動局の構成を示すブロック図
【図２】実施の形態１に係る基地局および基地局制御装置の構成を示すブロック図
【図３】実施の形態１に係る通信システムの動作の説明に供する図
【図４】実施の形態２に係る基地局および基地局制御装置の構成を示すブロック図
【図５】実施の形態２に係る通信システムの動作の説明に供する図
【図６】実施の形態３に係る基地局および基地局制御装置の構成を示すブロック図
【図７】実施の形態３に係る通信システムの動作の説明に供する図
【図８】実施の形態４に係る基地局および基地局制御装置の構成を示すブロック図
【図９】実施の形態４に係る通信システムの動作の説明に供する図
【図１０】実施の形態５に係る移動局の構成を示すブロック図
【図１１】実施の形態５に係る基地局および基地局制御装置の構成を示すブロック図
【図１２】実施の形態５に係る通信システムの動作の説明に供する図
【図１３】従来の通信システムの構成を説明するための図
【符号の説明】
【０２０１】
１００、７００  移動局
１０１、１１１、２１０  ＲＦ受信部
１０２、１１２、２２０  復調部
１０３、１１３  無線品質測定部
１２０、２３０  誤り訂正復号部
１３０、２４０、８１０  分離部
１４０、７１０  ＴＰＣコマンド生成部
１５０、２５３、２６３  多重部
１６０、２５４、２６４  誤り訂正符号化部
１７０、２５５、２６５  変調部
１８０、２５６、２６６  ＲＦ送信部
２００、８００  基地局
２５１、２５２、２６１、２６２、８２１、８３１  送信電力設定部
３００、４００、５００、６００  基地局制御装置
３１０、４１０、５１０、６１０  送信電力計算部
７１１  メモリ
７１２  仮想ＴＰＣ生成部
【図１】
2006165891.tif 000003
【図２】
2006165891.tif 000004
【図３】
2006165891.tif 000005
【図４】
2006165891.tif 000006
【図５】
2006165891.tif 000007
【図６】
2006165891.tif 000008
【図７】
2006165891.tif 000009
【図８】
2006165891.tif 000010
【図９】
2006165891.tif 000011
【図１０】
2006165891.tif 000012
【図１１】
2006165891.tif 000013
【図１２】
2006165891.tif 000014
【図１３】
2006165891.tif 000015